(57)【要約】【課題】複数の操作者により薬剤登録処理を分担して行うことができるとともに、各登録事項についての責任の所在を明らかにする。【解決手段】実施形態の薬剤登録装置において、薬剤登録手段は、第１認証手段がユーザ認証した識別情報を、読取手段が読み取った薬剤情報の登録操作を行った操作者の識別情報として当該薬剤情報に対応付けて、一手術の使用薬剤記録に登録する。操作者変更受付手段は、一手術における前記使用薬剤記録の登録中に、前記第１認証手段がユーザ認証した前記識別情報とは異なる第２操作者の識別情報を受付ける。また、薬剤登録手段は、第２認証手段によるユーザ認証後に前記読取手段が読み取った前記薬剤情報については、前記第２認証手段によりユーザ認証された前記第２操作者の識別情報を、その登録操作を行った操作者の識別情報として対応付けて、前記使用薬剤記録に登録する。【選択図】図５
2015162014.tif 000002
【特許請求の範囲】
【請求項１】
操作者の識別情報を受付けてユーザ認証を行う第１認証手段と、
使用薬剤から当該薬剤に関する薬剤情報を読み取る読取手段と、
前記第１認証手段がユーザ認証した前記識別情報を、前記読取手段が読み取った前記薬剤情報の登録操作を行った操作者の識別情報として当該薬剤情報に対応付けて、一手術で使用された使用薬剤を記録するための使用薬剤記録に登録する薬剤登録手段と、
一手術における前記使用薬剤記録の登録中に、前記第１認証手段がユーザ認証した前記識別情報とは異なる第２操作者の識別情報を受付ける操作者変更受付手段と、
前記第２操作者の識別情報についてユーザ認証を行う第２認証手段と、を備え、
前記薬剤登録手段は、前記第２認証手段によるユーザ認証後に前記読取手段が読み取った前記薬剤情報については、前記第２認証手段によりユーザ認証された前記第２操作者の識別情報を、その登録操作を行った操作者の識別情報として対応付けて、前記使用薬剤記録に登録する、薬剤登録装置。
【請求項２】
前記薬剤登録手段が登録した前記薬剤情報を、前記操作者ごとに分別して表示する分別表示制御手段を更に備えた、請求項１に記載の薬剤登録装置。
【請求項３】
前記操作者ごとに別紙の伝票に分けて、その操作者が登録した使用薬剤の薬剤情報を印字する印字制御手段を更に備えた、請求項１または２に記載の薬剤登録装置。
【請求項４】
前記印字制御手段は、前記操作者ごとの前記伝票に、操作者の人数分の承認欄をそれぞれ印字する、請求項３に記載の薬剤登録装置。
【請求項５】
前記読取手段が前記薬剤情報を読み取ると、当該薬剤情報に基づいて使用薬剤の薬剤名と、使用量とを表示する表示制御手段と、
同一薬剤の使用量をまとめて表示する旨の指示を受付けるまとめ表示受付手段と、を更に備え、
前記表示制御手段は、前記指示を受付けると、前記操作者ごとに、同一薬剤の使用量をまとめて表示する、請求項２ないし４のいずれか１つに記載の薬剤登録装置。
【請求項６】
薬剤登録装置を制御するコンピュータを、
操作者の識別情報を受付けてユーザ認証を行う第１認証手段と、
使用薬剤から当該薬剤に関する薬剤情報を読み取る読取手段と、
前記第１認証手段がユーザ認証した前記識別情報を、前記読取手段が読み取った前記薬剤情報の登録操作を行った操作者の識別情報として当該薬剤情報に対応付けて、一手術で使用された使用薬剤を記録するための使用薬剤記録に登録する薬剤登録手段と、
一手術における前記使用薬剤記録の登録中に、前記第１認証手段がユーザ認証した前記識別情報とは異なる第２操作者の識別情報を受付ける操作者変更受付手段と、
前記第２操作者の識別情報についてユーザ認証を行う第２認証手段と、を備え、
前記薬剤登録手段は、前記第２認証手段によるユーザ認証後に前記読取手段が読み取った前記薬剤情報については、前記第２認証手段によりユーザ認証された前記第２操作者の識別情報を、その登録操作を行った操作者の識別情報として対応付けて、前記使用薬剤記録に登録する、プログラム。
【発明の詳細な説明】
【技術分野】
【０００１】
本発明の実施形態は、薬剤登録装置およびプログラムに関する。
【背景技術】
【０００２】
近年、手術室や緊急治療等の医療現場において使用薬剤とその使用量を記録するために、薬剤登録装置が用いられている。薬剤登録装置は、薬剤に付されたコードシンボルから薬剤コードを読み取り、当該コードに対応する薬剤名や規格、容量等の薬剤情報を薬剤データベースから読み込んで、使用薬剤記録として登録する。
【０００３】
このような薬剤登録装置においては一般的に、登録作業の責任の所在を明確にするため、装置起動時に操作者が看護師ＩＤ（Identification）等のＩＤ認証によりログイン操作を行う。薬剤登録装置は、ログイン時のユーザ情報を一手術に関する一連の登録作業の操作責任者として登録する。
【０００４】
しかしながら従来の薬剤登録装置は、一手術に関する一連の登録作業を一人の操作者が担当することを前提としており、途中で操作者を変更することは考慮されていない。従って、ログインを行った操作者が都合により登録作業をできなくなった場合には、起動時のログイン状態のまま、他の操作者が代理で登録作業を行うこととなる。このような状態では、登録作業を実際に行った操作者を特定できないため、登録作業に関する責任の所在が不明確となってしまうことが課題となっていた。
【発明の概要】
【発明が解決しようとする課題】
【０００５】
本発明が解決しようとする課題は、複数の操作者により薬剤登録処理を分担して行うことができるとともに、各登録事項についての責任の所在を明らかにできる薬剤登録装置およびプログラムを提供することである。
【課題を解決するための手段】
【０００６】
実施形態の薬剤登録装置は、第１認証手段と、読取手段と、薬剤登録手段と、操作者変更受付手段と、第２認証手段とを備える。第１認証手段は、操作者の識別情報を受付けてユーザ認証を行う。読取手段は、使用薬剤から当該薬剤に関する薬剤情報を読み取る。薬剤登録手段は、前記第１認証手段がユーザ認証した前記識別情報を、前記読取手段が読み取った前記薬剤情報の登録操作を行った操作者の識別情報として対応付けて、一手術で使用された使用薬剤を記録するための使用薬剤記録に登録する。操作者変更受付手段は、一手術における前記使用薬剤記録の登録中に、前記第１認証手段がユーザ認証した前記識別情報とは異なる第２操作者の識別情報を受付ける。第２認証手段は、前記第２操作者の識別情報についてユーザ認証を行う。また、前記薬剤登録手段は、前記第２認証手段によるユーザ認証後に前記読取手段が読み取った前記薬剤情報については、前記第２認証手段によりユーザ認証された前記第２操作者の識別情報を、その登録操作を行った操作者の識別情報として当該薬剤情報に対応付けて、前記使用薬剤記録に登録する。
【図面の簡単な説明】
【０００７】
【図１】図１は、本実施形態にかかる薬剤管理システムの構成例を示す図である。
【図２】図２は、薬剤登録装置の外観を示す正面図である。
【図３】図３は、薬剤登録装置のハードウェア構成を示すブロック図である。
【図４】図４は、薬剤登録装置の機能構成を示すブロック図である。
【図５】図５は、薬剤登録装置が実行する薬剤登録処理の手順を示すフローチャートである。
【図６】図６は、ログイン画面の一例を示す図である。
【図７】図７は、患者登録画面の一例を示す図である。
【図８】図８は、初期状態の薬剤登録画面の一例を示す図である。
【図９】図９は、薬剤登録後の薬剤登録画面の一例を示す図である。
【図１０】図１０は、操作者変更後の薬剤登録画面の一例を示す図である。
【図１１】図１１は、まとめ表示された薬剤登録画面の一例を示す図である。
【図１２】図１２は、再度第１操作者に変更した場合の薬剤登録画面の表示例を示す図である。
【図１３】図１３は、伝票の１頁目の印字例を示す図である。
【図１４】図１４は、伝票の２頁目の印字例を示す図である。
【図１５】図１５は、訂正履歴伝票の印字例を示す図である。
【図１６】図１６は、薬剤登録画面のその他の表示例を示す図である。
【発明を実施するための形態】
【０００８】
図１は、本実施形態にかかる薬剤管理システム１０の構成例を示す図である。図１に示すように、薬剤管理システム１０は、電子カルテサーバ１１と、医師用の情報処理装置１２と、看護師用の情報処理装置１３と、薬剤監査装置１４と、医師用の携帯端末１８と、薬剤部サーバ１９と、薬剤登録装置２０と、を備えている。
【０００９】
電子カルテサーバ１１、情報処理装置１２、情報処理装置１３、薬剤監査装置１４、薬剤部サーバ１９及び薬剤登録装置２０は、通信ネットワーク１７に接続されている。また、医師用の携帯端末１８は、無線基地局１５及び公衆通信ネットワーク１６を介して通信ネットワーク１７に接続される。
【００１０】
尚、図１では、薬剤管理システム１０が１台の薬剤登録装置２０を備える例を図示したが、薬剤管理システム１０は複数台の薬剤登録装置２０を備えてもよい。例えば、手術室の複数箇所に薬剤登録装置２０を備えて、一手術において複数台で平行して使用薬剤の登録処理を行ってもよい。また、複数台用いられる際には、親端末として用いられる薬剤登録装置２０が子端末として用いられる薬剤登録装置２０の登録データを合算してもよい。
【００１１】
電子カルテサーバ１１は、電子カルテを記憶し管理する。医師用の情報処理装置１２および携帯端末１８は、電子カルテの参照やデータ入力等の処理を行う。看護師用の情報処理装置１３は、電子カルテの参照やデータ入力等の処理を行う。薬剤監査装置１４は、電子カルテに含まれる指示書情報（例えば、処方箋情報）に基づき、薬剤の取揃え作業の支援処理および監査処理を行う。
【００１２】
薬剤部サーバ１９は、薬剤部に配置され薬剤の払出等の処理を管理する。また、薬剤部サーバ１９は、薬剤コードに対応付けて、その薬剤の名称、規格（容量等）、メーカー等の薬剤情報を記憶する薬剤ＤＢ（データベース）１９１を有している。尚、薬剤登録装置２０が、オブジェクト認識技術やＯＣＲを用いて薬剤を識別する場合には、それら識別処理に必要なデータを予め薬剤ＤＢ１９１に格納しておけばよい。
【００１３】
薬剤登録装置２０は、手術室や救急救命室等に配置され、手術中あるいは救急治療の場において使用された薬剤（医薬品）の登録処理を行う。尚、薬剤登録装置２０は、使用薬剤のみならず、手術中に使用された医療具などを登録してもよい。
【００１４】
図２は、薬剤登録装置２０の外観を示す正面図である。薬剤登録装置２０は、内部に制御装置を備えた本体２４に、スキャナ２２と、プリンタ２３とが接続されている。また、本体２４の前面には、タッチパネルディスプレイ２１が設けられている。なお、スキャナ２２は、図２に示すようなテーブル上に載置する形状に限られるものではない。その他の形態として、床上に立設させるスタンド形状のスキャナ、もしくは、ハンドスキャナを本体２４に接続して用いてもよい。
【００１５】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサ（図示せず）とＬＥＤなどの光源（図示せず）とを有している。スキャナ２２は、看護師ＩＤのコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１６】
また、図２に示すように、スキャナ２２の読取窓の上方の筐体前面には、ＵＳＢポート４１が設けられている。ＵＳＢポート４１には、外部記憶媒体としてのＵＳＢ（Universal  Serial  Bus）メモリ５０（図３参照）が接続される。
【００１７】
尚、薬剤登録装置２０には、薬剤の重量を測定する秤が接続されてもよい。また、薬剤登録装置２０は、薬剤に付されたＲＦＩＤ（Radio  Frequency  IDentification）との間でデータの読取り／書込みを行うＲＦＩＤリーダライタを備えるとしてもよい。
【００１８】
図３は、薬剤登録装置２０のハードウェア構成を示すブロック図である。図３に示すように、薬剤登録装置２０は、ＭＰＵ（Micro  Processing  Unit）３１と、ＲＯＭ（Read  Only  Memory）３２と、ＲＡＭ３３と、外部記憶装置３４と、入出力Ｉ／Ｏ（Input／Output）３９とが、バス４０により相互接続されて構成されている。また、入出力Ｉ／Ｏ３９には、タッチパネルディスプレイ２１、スキャナ２２、プリンタ２３、通信Ｉ／Ｆ３８、ＵＳＢポート４１が接続されている。なお、タッチパネルディスプレイ２１は、ディスプレイ３５とタッチパネル３６とを有している。
【００１９】
ＭＰＵ３１は、ＲＯＭ３２あるいは外部記憶装置３４に格納されたプログラムをＲＡＭ３３に展開して実行することにより、入出力Ｉ／Ｏ３９に接続された上記各部を制御し、薬剤登録装置における各種処理を実行する。
【００２０】
外部記憶装置３４としては、ＨＤＤ（Hard  Disk  Drive）或いはＳＳＤ（Solid  State  Drive）など、大容量タイプの記憶装置を用いればよい。また、外部記憶装置３４は、使用薬剤テーブル２５と、操作者テーブル２６とを格納している。
【００２１】
使用薬剤テーブル２５は、手術中の使用薬剤を使用タイミングごとに記録するためのテーブルである。使用薬剤テーブル２５には、手術日時、場所、患者に関する情報に対応付けて、その手術で使用された薬剤に関する薬剤情報および使用量が、使用薬剤記録として格納される。
【００２２】
操作者テーブル２６は、薬剤登録装置２０により薬剤登録処理を行うことができる者を、薬剤登録装置２０の操作者として登録しておくためのデータベースである。操作者テーブル２６には、薬剤登録装置２０の操作を行うことができる者を識別可能なＩＤが予め登録される。登録ＩＤとしては、従来一般的に用いられている看護師ＩＤや医師ＩＤ等を操作者ＩＤとして登録すればよい。
【００２３】
尚、操作者に関しては、現状では薬剤登録処理を行うことができる看護師が薬剤登録装置２０の操作を行うのが一般的である。ただし操作者に関する運用は随時変更されうるものであり、医師や看護師以外の者が操作者として登録されてもよい。即ち、操作者テーブル２６に登録される操作者ＩＤは看護師ＩＤに限定されず、その他のＩＤが登録されてもよい。
【００２４】
尚、操作者テーブル２６の格納場所は特に限定されない。操作者テーブル２６は例えば外部サーバに格納しておき、薬剤登録装置２０が当該サーバに操作者ＩＤを問い合わせて操作者の認証を行ってもよい。
【００２５】
次に、薬剤登録装置２０で実行されるプログラムについて説明する。図４は、薬剤登録装置２０の機能構成を示すブロック図である。本実施形態の薬剤登録装置２０で実行されるプログラムは、図４に示すように、読取部５１、認証部５２、登録部５３、表示制御部５４、印字制御部５５を含むモジュール構成となっている。ＭＰＵ３１は、ＲＯＭ３２あるいは外部記憶装置３４から本実施形態のプログラムを読み出して実行する。これにより、上記各部がＲＡＭ３３上にロードされ、生成されるようになっている。
【００２６】
読取部５１は、スキャナ２２の撮像画像から各種情報を読み取る。例えば、読取部５１は、撮像画像に含まれるコードシンボルから、看護師コード、患者コード、薬剤コード等のコード情報をデコードして読み取る。読み取られる情報は特に限定されない。他にも、看護師氏名、所属部等の看護師情報、患者氏名、性別、年齢等の患者情報、薬剤名や規格、容量等の薬剤情報などが読み取られてもよい。また、情報読取の手法は特に限定されず、文字認識やオブジェクト認識により上述の各種情報を読み取ってもよい。
【００２７】
認証部５２は、薬剤登録処理を行う操作者のＩＤを受付けて、その操作者のユーザ認証を行う。認証部５２は、読取部５１が読み取ったコード（例えば、看護師コード）が、操作者テーブル２６に登録されているか否かを判定することにより、ユーザ認証を行う。
【００２８】
登録部５３は、読取部５１が読み取った各種情報を使用薬剤記録として使用薬剤テーブル２５に登録する。より詳細には、登録部５３は、読取部５１が読み取った薬剤コードを薬剤部サーバ１９の薬剤ＤＢ１９１に問合わせる。薬剤部サーバ１９は、問合せのあった薬剤コードに対応する薬剤名、規格（容量）、メーカー、ロット番号、注意事項等の薬剤情報を、薬剤登録装置２０に送信する。登録部５３は、受信した薬剤情報を使用薬剤テーブル２５に格納する。
【００２９】
尚、登録部５３は、上述のように受信した薬剤情報に含まれる規格（容量）をその使用量として登録してもよいが、各種インタフェース等を用いて使用量の入力を受付けてもよい。例えば、登録部５３は、タッチパネル３６に表示されたテンキー、或いは、薬剤登録装置２０に接続されたテンキーパッド（不図示）から数量の入力を受付けて、薬剤の使用量を登録してもよい。
【００３０】
また、登録部５３は、認証部５２がユーザ認証を行った操作者ＩＤ（例えば看護師ＩＤ）、即ち、現在ログインしているユーザの操作者ＩＤを、使用薬剤の登録操作を行った操作者として上記薬剤情報および使用量に対応付けて使用薬剤テーブル２５に登録する。
【００３１】
表示制御部５４は、ディスプレイ３５における表示処理を制御する。例えば、表示制御部５４は、ログイン画面８１（図６参照）、患者登録画面８２（図７参照）、薬剤登録画面８３（図８〜図１２）等の表示画面をディスプレイ３５に表示する。
【００３２】
印字制御部５５は、プリンタ２３による印字処理を制御する。例えば、印字制御部５５は、使用薬剤の薬剤名と使用量とを操作者ごとに印字した伝票（図１３〜図１４）を、プリンタ２３により印刷する。
【００３３】
次に、薬剤登録装置２０が実行する薬剤登録処理の手順について説明する。図５は、薬剤登録装置２０が実行する薬剤登録処理の手順を示すフローチャートである。尚、以下では、薬剤登録装置２０の操作者として看護師が看護師ＩＤを用いてユーザ認証を行う例について説明する。
【００３４】
電源投入後、表示制御部５４は、図６に示すようなログイン画面８１をディスプレイ３５に表示する（ステップＳ１）。
【００３５】
図６は、ログイン画面８１の一例を示す図である。ログイン画面８１には、図６に示すように、「ＩＤカードを読み取らせてください。」というガイドコメントが表示されている。また、ログイン画面８１には、ＩＤカードに付されている看護師ＩＤのコードシンボルをスキャナ２２に読み込ませることを促すガイド画像が表示されている。操作者（看護師）は、ログイン処理を行うために、自己のＩＤカードに付された看護師ＩＤのコードシンボルをスキャナ２２の前にかざして、看護師ＩＤを読み込ませる。
【００３６】
読取部５１は、スキャナ２２の撮像画像から看護師ＩＤを読み取る。続いて、認証部５２は、読み取った看護師ＩＤが操作者テーブル２６に登録されているか否かを判定する。これにより、認証部５２はログインした操作者が薬剤登録装置２０の登録操作者であるか否かのユーザ認証を行う（ステップＳ２）。認証されない場合（ステップＳ２：Ｎｏ）には認証不可のエラーメッセージを表示し、ステップＳ１に戻る。認証された場合（ステップＳ２：Ｙｅｓ）には、ディスプレイ３５に患者登録画面８２（図７参照）を表示する（ステップＳ３）。
【００３７】
図７は、患者登録画面８２の一例を示す図である。患者登録画面８２には、図７に示すように、「患者ＩＤを読み取らせてください。」というガイドコメントが表示される。また、患者のリストバンドに付されている患者ＩＤのコードシンボルをスキャナ２２に読み込ませることを促すガイド画像が表示される。看護師は、患者のリストバンドに付されている患者ＩＤのコードシンボルをスキャナ２２の前にかざし、スキャナ２２に患者ＩＤを読み込ませる。
【００３８】
読取部５１は、スキャナ２２の撮像画像から患者ＩＤを読み取る。続いて、登録部５３は、電子カルテサーバ１１を参照し、読み取った患者ＩＤの電子カルテから、患者氏名、年齢、性別等の患者情報を読み込む。そして、登録部５３は、読み込んだ患者情報を患者ＩＤとともに外部記憶装置３４の使用薬剤テーブル２５に登録する。
【００３９】
読み取った患者ＩＤに対する電子カルテデータの読込ができない等のエラーにより、患者情報の登録が正常に行われない場合（ステップＳ４：Ｎｏ）にはステップＳ３に戻る。患者情報の登録が正常に完了すると（ステップＳ４：Ｙｅｓ）、表示制御部５４は、ディスプレイ３５に薬剤登録画面８３（図８参照）を表示する（ステップＳ５）。
【００４０】
図８は、初期状態の薬剤登録画面８３の一例を示す図である。薬剤登録画面８３には、上述のように認証された患者ＩＤとともに、電子カルテサーバ１１から読み込まれた患者の年齢、性別等の患者情報が表示される。尚、薬剤登録画面８３に表示される患者情報は特に限定されず、その他の患者情報が表示されてもよい。
【００４１】
図８に示すように初期状態の薬剤登録画面８３には、「薬剤登録開始」というコメントが透かし文字で背景に表示されている。加えて、初期状態の薬剤登録画面８３には、薬剤のコードシンボルまたは薬剤のパッケージをスキャナ２２にかざすよう操作者に促すガイド画像が表示されている。看護師は、医師の指示に従って薬剤を医師に手渡す。その後、看護師は医師から使用後の容器を受け取ると、薬剤の容器をスキャナ２２にかざして使用薬剤の登録を行う。
【００４２】
読取部５１がスキャナ２２の撮像画像から薬剤コードを読み取ると（ステップＳ６：Ｙｅｓ）、登録部５３は、当該薬剤コードに対応する薬剤情報を薬剤部サーバ１９の薬剤ＤＢ１９１から読み込んで使用薬剤テーブル２５に登録する（ステップＳ７）。次いで、表示制御部５４は、ステップＳ７で登録した薬剤情報を表示することにより、薬剤登録画面８３を更新する（ステップＳ８）。その後、ステップＳ５に戻り入力待ちをする。
【００４３】
図９は、薬剤登録後の薬剤登録画面８３の一例を示す図である。薬剤登録後の薬剤登録画面８３には、登録した薬剤情報（例えば、薬剤名）および数量が登録順にリスト表示される。ここで、本実施形態にかかる薬剤登録画面８３には、図９に示すように、操作者変更ボタン９１が設けられている。操作者変更ボタン９１は、操作者を変更するためのボタンである。表示制御部５４は、操作者変更ボタン９１が選択されると、次に操作を行う操作者の認証を行うためのログイン画面８１をディスプレイ３５に表示する。
【００４４】
薬剤登録画面８３において薬剤コードの入力を待機している状態（ステップＳ６：Ｎｏ）において操作者変更ボタン９１が選択されると（ステップＳ９：Ｙｅｓ）、表示制御部５４はディスプレイ３５にログイン画面８１を表示する（ステップＳ１０）。
【００４５】
読取部５１は、スキャナ２２の撮像画像から看護師ＩＤを読み取る。認証部５２は、読み取ったコードが操作者テーブル２６に格納されているか判定する。これにより、認証部５２は読み取った看護師ＩＤが薬剤登録装置２０の登録操作者であるか否かのユーザ認証を行う（ステップＳ１１）。認証されない場合（ステップＳ１１；Ｎｏ）には認証不可のエラーメッセージを表示し、ステップＳ１０に戻る。認証された場合（ステップＳ１１：Ｙｅｓ）には、ステップＳ５に移行する。表示制御部５４はディスプレイ３５において、操作者変更前の各種登録情報が表示された薬剤登録画面８３の表示を再開する（ステップＳ５）。そして、薬剤登録装置２０はステップＳ５〜Ｓ８の薬剤登録処理を再開する。
【００４６】
尚、ステップＳ２で行われるログインと、ステップＳ１０で行われるログインの相違点については以下の通りである。ステップＳ２で行われるログインは、手術開始時にその手術に従事する医療従事者、患者等のデータを登録する初期登録作業の一部として行われる。一方、ステップＳ１０で行われるログインは、手術中に操作者を変更するためのユーザ認証である。即ちステップＳ１０のログインは、当該認証前に登録された薬剤情報や薬剤登録画面８３の表示が初期化されることなく、そのまま維持される点で、初回のログインとは異なる。
【００４７】
このように本実施形態では、一手術にかかる薬剤登録処理中に、登録した薬剤情報を使用薬剤テーブル２５に維持したまま、先の操作者がログアウトし、次の操作者がログインできる。従って、操作者変更後、薬剤登録画面８３には先の操作者の登録分が継続して表示される。これにより本実施形態は、同一手術にかかる薬剤登録処理において、複数の操作者が分担して登録処理を行い易くすることができる。
【００４８】
図１０は、操作者変更後の薬剤登録画面８３の一例を示す図である。図１０では、図９に示す状態で操作者が変更され、変更後に薬剤Ｃを１本、薬剤Ａを１本登録した例を示す。ここで、本実施形態の表示制御部５４は、登録部５３が登録した薬剤情報を操作者ごとに分別して表示する。例えば、表示制御部５４は、図１０に示すように、先の操作者（第１操作者）が登録した薬剤に関する情報を、次の操作者（第２操作者）が登録した薬剤に関する情報とを、太線により分別して表示する。
【００４９】
尚、登録された薬剤情報を操作者ごとに分けて表示する方法は上記例に限定されない。その他の例として、表示制御部５４は、操作者ごとに色（背景色、文字色など）を変える形態としてもよい。また、薬剤ごとにその登録を行った操作者名（すなわちログインしている操作者を示す情報）を表示してもよい。
【００５０】
＜まとめ表示＞
次に、このように複数の操作者によって薬剤登録が行われている場合のまとめ表示の実施例について説明する。まとめ表示とは、同一薬剤の使用量をまとめ、使用薬剤を薬剤ごとに集計して表示することである。まとめ表示を行うことで、医師や看護師はその手術において現時点までに使用した薬剤の総量を確認し易くなる。
【００５１】
図１０に示すように薬剤登録画面８３には、まとめ表示を行うためのまとめ表示ボタン９２が設けられている。操作者変更ボタン９１の選択を待機している状態（ステップＳ９：Ｎｏ）において、まとめ表示ボタン９２が選択されると（ステップＳ１２：Ｙｅｓ）、表示制御部５４はまとめ表示処理を行う（ステップＳ１３）。
【００５２】
図１１は、まとめ表示された薬剤登録画面８３の一例を示す図である。表示制御部５４は、操作者ごとにまとめ表示を行い、操作者の異なる使用薬剤についてはまとめ表示を行わない。即ち、図１１に示すように、操作者ごとに使用薬剤を分別表示するための太線は表示が残される。そして、太線より上方の欄には、先の操作者により登録された使用薬剤についてまとめ表示がなされ、太線より下方の欄には、後の操作者により登録された使用薬剤についてまとめ表示がなされる。
【００５３】
このように、操作者ごとにまとめ表示を行うので、各操作者は自分が登録した内容を確認し易い。また、各登録内容の責任の所在がいずれの操作者にあるのかを、容易に確認することができる。
【００５４】
＜先の操作者に再度変更する場合の表示例＞
ここで、第１操作者から第２操作者に変更した後に、再度、第１操作者に変更する場合について説明する。図１２は、再度第１操作者に変更した場合の薬剤登録画面８３の表示例を示す図である。図１１において操作者変更ボタン９１が選択され、元の第１操作者がログイン画面８１（図６参照）を介して再度ログインを行う。すると、表示制御部５４は図１２に示すように、第２操作者が登録した分の表示欄の下方に太線を表示する。そして、再度ログインした第１操作者により登録された薬剤情報（薬剤Ｂ  １本）は、太線より下方の欄に表示される。
【００５５】
尚、このような場合にまとめ表示ボタン９２が選択されても、表示制御部５４は太線を超えて使用量を集計しない。即ち表示制御部５４は、第１操作者による登録分については、第２操作者による登録分と合算せず、ログインごとに使用量を集計してまとめ表示を行う。これにより、時系列で操作者ごとの登録項目（使用薬剤）を確認することができる。具体的な例としては、第１操作者が登録作業を中断し、その後登録作業に戻るような場合に、先の登録分と後の登録分とをそれぞれ確認できるので、登録内容の確認が容易になる。
【００５６】
＜伝票の印字例＞
次に、伝票の印字例について説明する。本実施形態では伝票の用途は特に限定しない。出力した伝票は、使用薬剤にかかる費用請求に用いてもよいし、使用分の補充処理に用いてもよい。また、電子カルテに保存するための使用薬剤記録として用いてもよい。
【００５７】
まとめ表示ボタン９２の選択を待機している状態（ステップＳ１２：Ｎｏ）において、印刷ボタン９３（図１０参照）が選択されると（ステップＳ１４：Ｙｅｓ）、印字制御部５５は伝票の印刷処理を行う（ステップＳ１５）。尚、印刷ボタン９３が選択されない場合には（ステップＳ１４：Ｎｏ）、ステップＳ５に戻る。
【００５８】
印字制御部５５は、操作者ごとに別紙の伝票に分けて、その操作者が登録した薬剤情報（例えば、薬剤名、規格、使用量など）を印字する。一例として印字制御部５５は、図１２に示すような登録状態において印刷ボタン９３が選択されると、図１３、図１４に示すような２枚１セットの伝票を発行する。
【００５９】
図１３、図１４は、一手術での使用薬剤に関して発行される伝票の印字例を示す図である。図１３は、伝票の１頁目の印字例を示す図であり、図１４は、伝票の２頁目の印字例を示す図である。図１３に示すように、１頁目の伝票には、第１操作者により登録された使用薬剤に関する薬剤情報が、薬剤ごとにまとめて印字される。また、２頁目の伝票には、第２操作者により登録された使用薬剤に関する情報が、薬剤ごとにまとめて印字される。
【００６０】
尚、印字制御部５５は、図１２のように第１操作者が２度ログインして登録処理を複数回に分けて行った場合であっても、ログインごとに伝票を分割しない。印字制御部５５は、同一操作者の登録分については使用量を通算し、同一伝票にその集計結果を印字する。伝票の内容確認は、主に手術後に空き容器と照合するなどして行われる。従って、伝票に印字する際には、上述した表示画面とは異なり、操作者ごとに一手術における各薬剤の総使用量を容易に確認できるようにしたものである。
【００６１】
伝票の印字構成は特に限定されないが、図１３、図１４では、タイトル６１、ヘッダ６２、使用薬剤欄６３、承認欄６４を設けた場合の印字例を示す。ヘッダ６２には、手術に関する情報、患者情報等とともに、そのページに印字された使用薬剤を登録した操作者（作業者）を示す情報が印字される。操作者を示す情報としては、看護師ＩＤ（操作者ＩＤ）、看護師（操作者）の氏名等の他、所属部局、連絡先等を印字してもよい。
【００６２】
使用薬剤欄６３には、各操作者が登録した薬剤情報（例えば、薬剤名、規格、使用量など）が印字される。各使用薬剤には、全ページに渡り連番で符番された通し番号が付される。使用薬剤欄６３の下部には、そのページ分の操作者小計６５として、各ページの操作者が登録した使用薬剤分の薬剤種類、使用量が各ページに印字される。また、最終ページの操作者小計６５の下部には、この手術に関して薬剤登録装置２０で登録された全使用薬剤分の薬剤種類と総使用量を示す合計６６が印字される。
【００６３】
承認欄６４は、伝票を確認した各担当者が承認印あるいは承認サインを署名するための欄である。本実施形態は複数の操作者が関わった薬剤登録処理であるため、印字制御部５５は操作者の人数分の承認欄（署名欄）を設ける。即ち、上述のように２人の操作者によって薬剤登録処理が行われると、印字制御部５５は、「看護師１」「看護師２」等とログインした人数分の承認欄を設ける。
【００６４】
＜登録情報の訂正処理例＞
すでに登録されている薬剤情報については、自己が登録した分については取消ボタン９４（図１１参照）を用いて取り消すことができる。しかしながら、他者が登録した分については不用意に修正できないように構成することが望ましい。好適な実施形態としては、次の（１）または（２）とすることが好ましい。
【００６５】
（１）他者による訂正を禁ずる形態
第１に、他者による訂正を行えないとしてもよい。即ち、例えば図１１において第２操作者がログインしている場合に、第１操作者によって登録された太線上方の薬剤Ａ、薬剤Ｂについては、取消ボタン９４による取消操作を受付けない。
【００６６】
（２）他者による訂正を許可し記録する形態
第２に、他者による訂正を許可するが、訂正者のＩＤを記録する形態としてもよい。即ち、例えば図１１においていずれかの行の登録情報が選択された状態で、取消ボタン９４が選択されたとする。表示制御部５４は、「異なる操作者ＩＤによる登録情報です。取消しますか？」などの警告メッセージをポップアップ表示して操作者の注意を促す。同メッセージが表示されたポップアップウィンドウには、「取消を実行する」および「キャンセル」の選択ボタンを設けておく。「取消を実行する」のボタンが選択されると、登録部５３は、現在ログインしている操作者のＩＤを、取り消される登録情報とともに、訂正履歴として記録する。
【００６７】
＜訂正履歴伝票の出力例＞
上記（２）のように他者により登録情報を訂正した場合、印字制御部５５により訂正履歴を記した伝票を印字出力するとよい。
【００６８】
図１５は、訂正履歴伝票の印字例を示す図である。訂正履歴伝票の構成は特に限定されないが、図１５では、タイトル７１、ヘッダ７２、第１操作者による訂正履歴を示した訂正履歴欄７３、第２操作者による訂正履歴を示した訂正履歴欄７４を設けた場合の印字例を示す。ヘッダ７２には、手術に関する情報、患者情報とともに、当該薬剤登録処理において１番目にログインした操作者を示す情報（操作者名、ＩＤなど）が印字される。訂正履歴欄７３、７４には、取消、追加等の訂正の種類（訂正区分）とともに、訂正された薬剤名、薬剤コード、使用量等の情報が印字される。
【００６９】
このように訂正履歴伝票を発行することで、登録操作を行った本人以外が訂正をする場合に、正しく訂正されたかを確認し易くできる。
【００７０】
＜薬剤登録画面のその他の表示例＞
尚、薬剤登録画面８３を操作者ごとに分けて表示する方法は、上述のように太線で分けて表示する方法に限られない。例えば、表示制御部５４は、操作者ごとに背景色や文字色を変えて操作者ごとの登録情報を分別表示してもよい。
【００７１】
また、上記（１）の形態に関連して、先の操作者の登録分については、グレー表示として、選択不可能としてもよい。図１６は、薬剤登録画面８３のその他の表示例を示す図である。図１６に例示するように、表示制御部５４は、現在ログイン中の第２操作者による登録分はカーソルにより選択可能とし、すでにログアウトした第１操作者による登録分はグレー表示として選択不可能としてもよい。
【００７２】
また、図１６に例示するように、表示制御部５４は、現在ログイン中である操作者に関する情報を、操作者表示欄８４を設けて表示してもよい。また、図１６に示すように、表示制御部５４は、登録欄の各行に操作者項目８５を設けて、使用薬剤ごとにその登録を行った操作者を表示してもよい。
【００７３】
なお、本実施形態の薬剤登録装置２０で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００７４】
また、本実施形態の薬剤登録装置２０で実行される制御プログラムを、インターネット等のネットワークに接続されたコンピュータ上に格納し、ネットワーク経由でダウンロードさせることにより提供するように構成しても良い。また、本実施形態の薬剤登録装置２０で実行される制御プログラムをインターネット等のネットワーク経由で提供または配布するように構成しても良い。また、本実施形態の薬剤登録装置２０で実行される制御プログラムを、ＲＯＭ３２あるいは外部記憶装置３４等に予め組み込んで提供するように構成してもよい。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７６】
以上のように、本実施形態では、薬剤登録画面８３に操作者変更ボタン９１を設け、一手術の薬剤登録処理中であっても操作者の変更を受付けるようにした。加えて、本実施形態の薬剤登録装置２０は、登録操作を行った操作者を対応付けて使用薬剤テーブル２５に記録する。従って、本実施形態によれば、複数の操作者により薬剤登録処理を分担して行うことができるとともに、各登録事項についての責任の所在を明らかにできる。
【００７７】
加えて、先の操作者から次の操作者への変更後に、先の操作者と次の操作者との登録分を分別して表示するので、先の操作者による登録分を継続して表示できるとともに、責任の所在を分かり易く表示できる。
【符号の説明】
【００７８】
１０…薬剤管理システム、２０…薬剤登録装置、２５…使用薬剤テーブル、２６…操作者テーブル、５１…読取部、５２…認証部、５３…登録部、５４…表示制御部、５５…印字制御部、６５…操作者小計、６６…合計、８３…薬剤登録画面、９１…操作者変更ボタン。
【先行技術文献】
【特許文献】
【００７９】
【特許文献１】特開２００２−１６３３５７号公報
【図１】
2015162014.tif 000003
【図２】
2015162014.tif 000004
【図３】
2015162014.tif 000005
【図４】
2015162014.tif 000006
【図５】
2015162014.tif 000007
【図６】
2015162014.tif 000008
【図７】
2015162014.tif 000009
【図１０】
2015162014.tif 000010
【図１１】
2015162014.tif 000011
【図１２】
2015162014.tif 000012
【図１３】
2015162014.tif 000013
【図１４】
2015162014.tif 000014
【図１５】
2015162014.tif 000015
【図１６】
2015162014.tif 000016
【図８】
2015162014.tif 000017
【図９】
2015162014.tif 000018